(57)【特許請求の範囲】
【請求項１】
パネル材(Ｐ)に開口している取付孔(Ｈ)からパネル材裏面に挿入されて、パネル材(Ｐ)の表面に配置される火災感知器(17)をパネル材(Ｐ)に取付けるための火災感知器取付具であって、
長板状の取付具ベース板(１)と、この取付具ベース板(１)に相対移動可能な状態で組みつけられた弾性材(２)とからなり、
弾性材(２)は、取付具ベース板(１)に上面から被せ付けられて取付具ベース板(１)を左右から軽く把持する摺動部材(８)を両端に持ち、この摺動部材(８)(８)間を略Ｓ字状変形片(13)で連結してなり、
取付具ベース板(１)は、その長手方向に所定の間隔を隔てて２つの長孔(５)(６)が形成されるとともに、該長孔(５)(６)の形成個所と対応する側壁に前記弾性材(２)の摺動部材(８)を組み付ける組付凹陥部(９)(10)を形成し、両組付凹陥部(９)(10)間に縦向きの突条(12)を突設し、一方の組付凹陥部(10)の壁面にはその長手方向の中間部を受け止め段部とこの段部端縁から先窄まりとなる傾斜面(11)を形成し、
弾性材(２)の摺動部材(８)における取付具ベース板側の面に、前記長孔(５)(６)に嵌着するボス部(15)を突設し、
この各ボス部(15)に、火災感知器(17)の基板部分(Ｂ)を貫通して装着された連結ボルト(18)を螺合するネジ孔(19)を形成してあることを特徴とする火災感知器取付具。
【請求項２】
取付具ベース板(１)と弾性材(２)とが、合成樹脂で形成してある請求項１に記載した火災感知器取付具。
【請求項３】
摺動部材間を連結する略Ｓ字状変形片(13)が直列に接続されている２連の略Ｓ字状変形片(13)で形成してある請求項１又は２に記載の火災感知器取付具。
【発明の詳細な説明】
【技術分野】
【０００１】
本発明は、天井などの壁面を形成するパネル材に透設された取付孔から挿入されてパネル材の裏面に配設され、パネル材の表面に配置される火災感知器を天井に取付けるために使用される火災感知器取付具に関する。
【背景技術】
【０００２】
建造物の天井や、側壁上部には熱感知器や煙感知器等の火災感知器が設置されるが、天井や側壁面をパネル材で構成している場合、感知器を直接パネル材にビス止めしようとしても、パネル材の材質によっては、十分な固定力を発揮できないことがある。そこで、従来、天井や側壁面を構成しているパネル材に取付孔を透設し、パネル材の裏面に当接する取付具をその取付孔から挿入し、その取付具に感知器の基板部分を螺着することで、取付具と感知器本体とでパネル材を挟持することで、感知器本体をパネル材に固定するものが提案されている。
【０００３】
取付具を使用して感知器をパネル材に固定するものとして、例えば、パネル材に形成されている取付孔から長板状の取付金具をパネル材の裏面側に挿入し、パネル材の表面側に位置させた感知器の基板に形成したネジ孔に取付ビスを装着して、この取付ビスを取付金具に螺合させるようにしたもの(特許文献１)や、感知器の基板に挟み板バネを固定し、この挟み板バネをパネル材の取付孔に挿入させて挟み板バネをパネル材裏面で展開させることで感知器の基板をパネル材に固定するようにしたもの(特許文献２)が提案されている。また、挟み板バネの具体的な形状として、基片部分の両端部から略逆Ｖ字状の脚片部を連出し、脚片部をパネル材の取付孔からパネル材の裏面に突入させて脚片の遊端部をパネル材の裏面に当接させ、基片部分と感知器基板との間にネジ体を架着してパネル材に感知器を固定するもの(特許文献３)も提案されている。
【先行技術文献】
【特許文献】
【０００４】
【特許文献１】特開平６−３１４３８６号公報
【特許文献２】特開２０００−２０８４５号公報
【特許文献３】意匠登録第１３５４３４７号公報
【発明の概要】
【発明が解決しようとする課題】
【０００５】
前述の特許文献１に開示されているパネル材に形成されている取付孔から長板状の取付金具をパネル材の裏面側に挿入し、取付金具を確りとパネル材に保持させるためには、取付金具とパネル材との間に所定寸法以上のかかり長さを必要とする。このため、パネル材裏面側の空間が狭い場合、挿入孔に挿入する取付金具の端部が挿入孔周面をかわす作業が面倒であり、作業性を損なうことがある。また、感知器を取付具に止め付ける際、その取付具と感知器との間にパネル材が位置することになるから、感知器を挿通してきた固定ボルトを取付金具の止め付けネジ孔にセットする場合の取付金具の保持は、パネル材のとの間の狭小空間を利用して取付金具を確りと保持しておかなければならず、作業性が非常に悪い。特に天井板に取付ける場合は高所作業となることからであることから、その作業性はさらに悪くなる。
【０００６】
一方、前述の特許文献２や３に開示されている挟み板バネを利用するものでは、パネル材に透設した取付孔の口径を挟み板バネを折畳み圧縮した姿勢での寸法により設定しなければならないが、折畳み姿勢の挟み板バネを取付孔に挿通させる構造上取付孔の内周面と挟み板バネの最大径部分との間に小寸法の間隙を必要とすることから、固定した際には感知器にわずかなガタ付きを生じることがある。
【課題を解決するための手段】
【０００７】
本発明は、このような従来技術での不都合に鑑み提案されたものて、パネル材に形成された取付孔の口径寸法が小さくても、確りと感知器を固定できる火災感知器取付具を提供することを目的とする。
【０００８】
上述の目的を達成するために、請求項１に記載の本発明は、パネル材に開口している取付孔からパネル材裏面に挿入されて、パネル材の表面に配置される火災感知器を天井に取付けるための火災感知器取付具を、
長板状の取付具ベース板と、この取付具ベース板に相対移動可能な状態で組みつけられた弾性材とで構成し、
弾性材は、取付具ベースに上面から被せ付けられて取付具ベース板を左右から軽く把持する摺動部材を両端に持ち、この摺動部材間を略Ｓ字状変形片で連結してなり、
取付具ベース板は、その長手方向に所定の間隔を隔てて２つの長孔が形成されるとともに、該長孔形成個所に対応する側壁に前記弾性材の摺動部材を組み付ける組付凹陥部を形成し、両組付凹陥部間に縦向きの突条を突設し、一方の組付凹陥部の壁面にはその長手方向の中間部を受け止め段部と段部先端から先窄まりとなる傾斜面を形成し、
弾性材の摺動部材における取付具ベース板側の面に、前記長孔に嵌着するボス部を突設し、
この各ボス部に、火災感知器の基板部分を貫通して延出された連結ボルトを螺合するネジ孔を形成してあることを特徴としている。
【０００９】
請求項２に記載した本発明は、請求項１に記載した構成に加えて、取付具ベース板と弾性材とが、合成樹脂で形成してあることを特徴とし、請求項３に記載した本発明は、請求項１又は請求項２に記載した構成に加えて、摺動部材間を連結する略Ｓ字状変形片が直列に接続されている２連の略Ｓ字状変形片で形成してあることを特徴としている。
【発明の効果】
【００１０】
本発明では、火災感知器をパネル材に固定する際に使用する火災感知器取付具を、長板状の取付具ベース板と、この取付具ベース板に相対摺動可能な状態で組みつけられた弾性材とで構成し、取付具ベース板に上面から被せ付けられて取付具を左右から軽く把持する摺動部材を両端に有する弾性材の摺動部材に火災感知器の基板と連結するネジ孔部を有するボス部を形成してあることから、火災感知器の基板部分を貫通して延出された連結ボルトをボス部に仮止め螺合している状態で取付具ベース板と弾性材とを相対移動することで連結ボルトの位置から取付具ベース板の端部までの距離が短くなるため、取付具ベース板の端面がパネル材に開口形成されている取付孔の周面を容易にかわすことができる。
【００１１】
また、火災感知器取付具を構成している取付具ベース板と弾性材とは、取付具ベースに上面から被せ付けられて取付具ベース板を左右から軽く把持する摺動部材を取付具ベース板の側壁に形成した組付凹陥部内で移動できるようにし、取付具ベース板の側壁に縦向きの突条を設けてあるので、この突条を外部から手指で操作することにより、取付具ベース板と弾性材との相対位置を弾性材の弾性力を利用して、所望の位置にまで移動させることができる。これにより、火災感知器取付具のパネル材への固定作業の作業性が格段に向上する。
【図面の簡単な説明】
【００１２】
【図１】本発明の一実施形態を示す分解斜視図である。
【図２】取付具ベース板の底面図である。
【図３】弾性材の底面側からの斜視図である。
【図４】取付具ベース板と弾性体を組み付けた状態での平面図である。
【図５】取付具ベース板と弾性体を組み付けた状態での側面図である。
【図６】感知具の基板部と連結した状態での斜視図である。
【図７】感知具の基板部と連結した状態での一部断面図である。
【図８】本発明に係る火災感知器取付具をパネル材に取付ける手順を示す概略説明図である。
【発明を実施するための形態】
【００１３】
本発明に係る火災感知器取付具は、図１に示すように、それぞれ合成樹脂で形成された取付具ベース板(１)とその取付具ベース板(１)に組み付けられる弾性体(２)とで構成されている。
【００１４】
取付具ベース板(１)は、図１及び図２に示すように、細長い直方体で形成された長板状をなし，その上面に長短２種類の長溝(３)(４)が所定の間隔を隔てて直列状に刻設されており、各長溝(３)(４)には、それぞれ長孔(５)(６)が溝の長手方向に走る状態で刻設してある。また、長寸法の長溝(３)と取付具ベース板部分(１)の端部との間及び両長溝(３)(４)間には、複数行複数列の凹穴(７)が凹設してある。
【００１５】
取付具ベース板(１)での長溝(３)(４)の形成個所に対応している側壁には、前記弾性体(２)の摺動部材(８)を受け入れる組付凹溝部(９)(10)が形成されており、短寸法の長溝(４)と対応する組付凹溝部(10)は、中央側寄りから端部方向に向けて先窄まりとなる傾斜面(11)がその途中部分から形成してある。この傾斜面(11)の中央側寄りは、弾性体(２)の摺動部材(８)を受け止め固定できるように受止段部となっており、この受止段部を乗越えて、摺動部材(８)が傾斜面(11)を端部側に移動することにより、弾性体(２)の取付具ベース板(１)に対する相対位置を変更できるようにしてある。また、長短長溝(３)(４)間の側壁部分に取付具ベース板(１)を弾性体(２)に対して移動させる際の指掛りとなる突条(12)が上下方向に突設してある。
【００１６】
弾性体(２)は、第１図及び第３図に示すように、取付具ベース板(１)に被せつけられて取付具ベース板(１)を把持する摺動部材(８)と、該摺動部材(８)の対向面同士を連結する略Ｓ字状変形片(13)とで形成してある。摺動部材(８)は、矩形状に形成されている基片(14)の裏面中央部から、前記取付具ベース板(１)に刻設されている長孔(５)(６)に移動可能な状態で挿嵌されるボス部(15)が突設してある。また、摺動部材(８)の基片(14)の前記組付凹溝部(９)(10)を形成している側に対応する端面から裏面側に向かって、前記組付凹溝部(９)(10)に嵌まり込んで取付具ベース板(１)を把持する把持片(16)が連出してある。
【００１７】
ボス部(15)には、後述する火災感知器(17)を固定する連結ボルト(18)を螺合するネジ孔(19)が形成してある。
【００１８】
摺動部材(８)の対向面同士を連結する略Ｓ字状変形片(13)は、直列に接続されている２連の略Ｓ字状変形片(13)で形成してあり、その略Ｓ字状変形片(13)同士の接続部分は、円板(20)で形成してある。
【００１９】
取付具ベース板(１)と弾性体(２)とは、図４及び図５に示すように組み付けられて一体化する。すなわち、弾性体(２)の一方の摺動部材(８)に形成されているボス部(15)を、取付具ベース板(１)の長寸法の長溝(３)に形成されている長孔(５)に嵌り込む状態に、また、他方の摺動部材(８)に形成されているボス部(15)を、取付具ベース板(１)の短寸法の長溝(４)に形成されている長孔(６)に嵌り込む状態に配置して、両摺動部材(８)を取付具ベース板(１)に被せ付けて、摺動部材(８)から連出した把持片(16)を取付具ベース板(１)の組付凹溝部(９)(10)に装着する。この時、弾性体(２)の略Ｓ字状変形片(13)の接続部分に形成した円板(20)は、長寸法の長溝(３)の他端側に位置している。
【００２０】
パネル材(Ｐ)への火災感知器取付具の装着状態は、図６及び図７に示すように、火災感知器取付具を天井を構成するパネル材(Ｐ)に開口形成されている取付孔(Ｈ)を通してパネル裏面側に挿入配置し、パネル材(Ｐ)の表面側に配置されている火災感知器(17)の基板部分(Ｂ)に形成されたボルト挿通孔(21)を貫通して配設された連結ボルト(18)を、火災感知器取付具の長孔(５)(６)に嵌着しているボス部(15)に形成されているネジ孔(19)と螺合させて、火災感知器(17)を火災感知器取付具を使用して支持固定する。
【００２１】
この装着時には、図８に示すように、取付具ベース板(１)に組み付けられている弾性体(２)の摺動部材(８)に設けられているネジ孔(19)に連結ボルト(18)をそれぞれ軽く螺合させ、短寸法の長孔(６)に係着しているボス部(15)が短寸法長孔(６)の外端側に位置するように取付具ベース板(１)と弾性体(２)の位置関係を設定し、その状態で、連結ボルト(18)で火災感知器(17)の基板(Ｂ)に連繋されている火災感知器取付具を、パネル材(Ｐ)に開口形成されている取付孔(Ｈ)からパネル材裏面側に挿入する。
【００２２】
これにより、長寸法の長孔(５)に装着されているボス部(15)に組み付けられている連結ボルト(18)と取付具ベース板(１)での長寸法長孔形成側の端面との距離が長くなり、短寸法の長孔(６)に装着されているボス部(15)に組み付けられている連結ボルト(18)と取付具ベース板(１)での短寸法長孔形成側の端面との距離が短くなるため、取付具ベース板(１)の短寸法長孔形成側での端面がパネル材(Ｐ)に開口形成されている取付孔(Ｈ)の周面を容易にかわすことができる。
【００２３】
火災感知器取付具をパネル裏面側に突入させた状態で、パネル材(Ｐ)と火災感知器(17)の基板部分(Ｂ)との間隙から、取付孔(Ｈ)を利用して取付具ベース板(１)の側面に形成されている指掛りとなる突条(12)を操作して、弾性材(２)に対して取付具ベース板(１)を移動させる。この時、短寸法長孔形成側に位置する摺動部材(８)の把持片(16)が取付具ベース板(１)の組付凹溝部(10)を摺動し、傾斜面(11)を乗越えて、中央寄りで受止段部に受け止められて、火災感知器取付具は取付孔(Ｈ)に対して所定の位置に設置されることになる。
【００２４】
ついで、弾性体(２)に螺合している連結ボルト(18)をそれぞれ締め込むことで、火災感知器取付具と一体化した火災報知器を天井等のパネル材(Ｐ)に装着する。
【００２５】
上記の実施形態では、パネル材(Ｐ)として天井板を例に説明したが、室内の側壁であっても適用することができる。
【符号の説明】
【００２６】
１…取付具ベース板、２…弾性材、５・６…長孔、８…摺動部材、９・10…組付凹陥部、11…傾斜面、12…突条、13…略Ｓ字状変形片、15…ボス部、17…火災感知器、18…連結ボルト、19…ネジ孔、Ｐ…パネル材、Ｈ…取付孔、Ｂ…火災感知器の基板部分。
【図１】
0006506618.tif 000002
【図２】
0006506618.tif 000003
【図３】
0006506618.tif 000004
【図４】
0006506618.tif 000005
【図５】
0006506618.tif 000006
【図６】
0006506618.tif 000007
【図７】
0006506618.tif 000008
【図８】
0006506618.tif 000009